(57)【要約】【課題】選択可能な複数のアイテムから選択されたアイテムのリストをオペレーターが定義できるようにするコンピューター制御された装置において実行されるユーザーインターフェース表示方法を提供する。【解決手段】オペレーターは、複数の選択されたアイテムを含む既存のリストを選択する。当初は既存のリストと同じアイテムを含む修正リストが生成される。装置は、選択可能な全てのアイテムを表示し、修正リストに当初含まれる各アイテムに関連付けられた第１の表示および第２の表示を表示する。修正リストにアイテムを追加する（またはリストからアイテムを削除する）オペレーターの入力に応じて、第１の表示および複数のアイテムのいずれの表示も変更することなく、追加（または削除）されたアイテムに関連付けられた第２の表示が表示（または削除）される。修正リストは、既存のリストを変更することなく保存される。【選択図】図４
2015165383.tif 000002
【特許請求の範囲】
【請求項１】
表示画面およびユーザー入力装置を有するコンピューター制御された装置において実行される方法であって、
選択可能な複数のアイテムおよび前記複数のアイテムの集合をそれぞれ定義する１つ以上のリストを格納するステップ（ａ）と、
前記１つ以上のリストのうちの一つを選択されたリストとして示す前記ユーザー入力装置を介した第１のオペレーター入力に応じて、前記選択されたリストによって定義されるアイテムの集合と同じ複数の当初選択されたアイテムを含む修正リストを生成するステップ（ｂ）と、
前記複数のアイテム、前記当初選択されたアイテムのうちの１つとそれぞれ関連付けられた複数の第１の表示、および前記当初選択されたアイテムのうちの１つとそれぞれ関連付けられた複数の第２の表示を表示画面上に表示するステップ（ｃ）と、
前記修正リストへの前記複数のアイテムのうちの選択されたアイテムの追加、または前記修正リストからの前記複数のアイテムのうちの選択されたアイテムの削除、または前記修正リストの確認のいずれかを示す第２のオペレーター入力を受け付けるステップ（ｄ）と、
前記第２のオペレーター入力が追加を示す場合、前記第１の表示のいずれも変更することなく、また、表示された前記アイテムのいずれも変更することなく、前記選択されたアイテムに関連付けられた第２の表示を表示し、前記修正リストに前記選択されたアイテムを追加するステップ（ｅ１）と、
前記第２のオペレーター入力が削除を示す場合、前記第１の表示のいずれも変更することなく、また、表示された前記アイテムのいずれも変更することなく、前記選択されたアイテムに関連付けられた第２の表示を削除し、前記修正リストから前記選択されたアイテムを削除するステップ（ｅ２）と、
前記第２のオペレーター入力が確認を示す場合、前記選択されたリストを変更することなく前記修正リストを保存するステップ（ｅ３）と、
を有するユーザーインターフェース表示方法。
【請求項２】
前記ステップ（ｂ）の前に、
オペレーターが前記リストのうちの１つを選択するように要求する表示を行うステップと、
前記リストのうちの１つを選択する前記第１のオペレーター入力を受け付けるステップと、
をさらに有する請求項１に記載のユーザーインターフェース表示方法。
【請求項３】
前記第１の表示は、関連付けられた前記アイテムの強調表示である請求項１または請求項２に記載のユーザーインターフェース表示方法。
【請求項４】
前記第２の表示は、関連付けられた前記アイテムの近傍に位置するチェックボックスにおけるチェックマークである請求項１〜３のいずれか一項に記載のユーザーインターフェース表示方法。
【請求項５】
前記ステップ（ｄ）において、
前記第２のオペレーター入力は、前記画面に表示された前記選択されたアイテムのクリックまたはタッチであり、前記選択されたアイテムが前記修正リストに含まれていない場合、前記クリックまたはタッチは、前記選択されたアイテムの追加を示し、前記選択されたアイテムが前記修正リストに含まれている場合、前記クリックまたはタッチは、前記選択されたアイテムの削除を示す請求項１〜４のいずれか一項に記載のユーザーインターフェース表示方法。
【請求項６】
前記表示画面および前記ユーザー入力装置は、タッチスクリーンである請求項１〜５のいずれか一項に記載のユーザーインターフェース表示方法。
【請求項７】
表示画面およびユーザー入力装置を有する情報処理装置にユーザーインターフェース表示処理を実行させるように構成される、情報処理装置を制御するためのコンピュータープログラムであって、
選択可能な複数のアイテムおよび前記複数のアイテムの集合をそれぞれ定義する１つ以上のリストを格納するステップ（ａ）と、
前記１つ以上のリストのうちの一つを選択されたリストとして示す前記ユーザー入力装置を介した第１のオペレーター入力に応じて、前記選択されたリストによって定義されるアイテムの集合と同じ複数の当初選択されたアイテムを含む修正リストを生成するステップ（ｂ）と、
前記複数のアイテム、前記当初選択されたアイテムのうちの１つとそれぞれ関連付けられた複数の第１の表示、および前記当初選択されたアイテムのうちの１つとそれぞれ関連付けられた複数の第２の表示を表示画面上に表示するステップ（ｃ）と、
前記修正リストへの前記複数のアイテムのうちの選択されたアイテムの追加、または前記修正リストからの前記複数のアイテムのうちの選択されたアイテムの削除、または前記修正リストの確認のいずれかを示す第２のオペレーター入力を受け付けるステップ（ｄ）と、
前記第２のオペレーター入力が追加を示す場合、前記第１の表示のいずれも変更することなく、また、表示された前記アイテムのいずれも変更することなく、前記選択されたアイテムに関連付けられた第２の表示を表示し、前記修正リストに前記選択されたアイテムを追加するステップ（ｅ１）と、
前記第２のオペレーター入力が削除を示す場合、前記第１の表示のいずれも変更することなく、また、表示された前記アイテムのいずれも変更することなく、前記選択されたアイテムに関連付けられた第２の表示を削除し、前記修正リストから前記選択されたアイテムを削除するステップ（ｅ２）と、
前記第２のオペレーター入力が確認を示す場合、前記選択されたリストを変更することなく前記修正リストを保存するステップ（ｅ３）と、
を情報処理装置に実行させるコンピュータープログラム。
【請求項８】
前記ステップ（ｂ）の前に、
オペレーターが前記リストのうちの１つを選択するように要求する表示を行うステップと、
前記リストのうちの１つを選択する前記第１のオペレーター入力を受け付けるステップと、
をさらに有する請求項７に記載のコンピュータープログラム。
【請求項９】
前記第１の表示は、関連付けられた前記アイテムの強調表示である請求項７または請求項８に記載のコンピュータープログラム。
【請求項１０】
前記第２の表示は、関連付けられた前記アイテムの近傍に位置するチェックボックスにおけるチェックマークである請求項７〜９のいずれか一項に記載のコンピュータープログラム。
【請求項１１】
前記ステップ（ｄ）において、
前記第２のオペレーター入力は、前記画面に表示された前記選択されたアイテムのクリックまたはタッチであり、前記選択されたアイテムが前記修正リストに含まれていない場合、前記クリックまたはタッチは、前記選択されたアイテムの追加を示し、前記選択されたアイテムが前記修正リストに含まれている場合、前記クリックまたはタッチは、前記選択されたアイテムの削除を示す請求項７〜１０のいずれか一項に記載のコンピュータープログラム。
【請求項１２】
前記表示画面および前記ユーザー入力装置は、タッチスクリーンである請求項７〜１１のいずれか一項に記載のコンピュータープログラム。
【請求項１３】
請求項７〜１２のいずれか一項に記載のコンピュータープログラムを記録したコンピューター読み取り可能な記録媒体。
【発明の詳細な説明】
【技術分野】
【０００１】
本発明は、ユーザーインターフェースに関し、特にアイテムを選択する選択リストを修正するためのユーザーインターフェースに関する。
【背景技術】
【０００２】
多くのコンピューター制御された装置のユーザーインターフェース装置は、従来のラップトップまたはデスクトップコンピューターよりもかなり小さい表示画面と、フルキーボードおよびマウスよりも制限された入力装置とを使用している。一方、これらの装置のユーザーは、比較的多量の情報の表示を含む複雑な作業の実行を求められることがある。
【０００３】
たとえば、多くの多機能プリンター（ＭＦＰ）において、ユーザーインターフェースパネルは、限られたスペースのタッチスクリーンである。ＭＦＰは印刷、スキャンおよびコピー機能を統合する機器であり、様々な目的のためにスキャンされた文書を送信できる電子メールやＦＡＸ機能を備えているものもある。ＭＦＰには、デジタル権利管理を行うサーバーに接続可能なものもある。これらの装置において、ユーザーは、ＭＦＰ上のユーザーインターフェースパネルを使用してデジタル権利管理（ｄｉｇｉｔａｌ  ｒｉｇｈｔｓ  ｍａｎａｇｅｍｅｎｔｓ：ＤＲＭまたはＲＭＳ）に関する比較的複雑な作業の実行を求められることがある。たとえば、文書をスキャンする際に、ユーザーは、スキャンされた文書のためのデジタル権利の設定を要求されることがあり、これはＤＲＭシステムの複数のユーザーの許可レベルを定義することを必要とする。
【発明の概要】
【発明が解決しようとする課題】
【０００４】
ＤＲＭシステムは、一般にシステムに格納されたデジタル文書に対するユーザーの権利を管理するために実行される。現在のＤＲＭシステムにおいて、各デジタル文書は、その文書に対してどのユーザーが何の権利を有しているかを設定する権利管理ポリシー（または本明細書において単にポリシーとも称される）やアクセス権に関する他のパラメーターに関連付けられている。そのようなポリシーの多くは、ＤＲＭサーバーに格納されている。オペレーターがハードコピー文書をスキャンしてデジタル文書にするためにスキャナーを使用する場合、スキャナーは、オペレーターがデジタル文書に関連する権利管理ポリシーを設定するように促す。
【課題を解決するための手段】
【０００５】
本発明の実施形態は、オリジナルのリストに存在するアイテムおよび選択可能な全てのアイテムの中から現在選択されているアイテムの両方のアイテムを表示する方法によって、オペレーターが選択されたアイテムのオリジナルのリストを修正し、リストにアイテムを追加、および／または、リストからアイテムを削除できるようにする。
【０００６】
本発明の追加の特徴および利点は以下の説明に記載され、ある程度は説明から明らかであり、または本発明の実施により知ることができる。本発明の目的および他の利点は、それについて記載された明細書、特許請求の範囲および添付の図面において特に示された構造によって実現および達成される。
【０００７】
これらの目的および／または他の目的を達成するために、具体的および広く記述されているように、本発明は、表示画面およびユーザー入力装置を有するコンピューター制御された装置において実行されるユーザーインターフェース表示方法であって、（ａ）選択可能な複数のアイテムおよび前記複数のアイテムの集合をそれぞれ定義する１つ以上のリストを格納するステップと、（ｂ）前記１つ以上のリストのうちの一つを選択されたリストとして示す前記ユーザー入力装置を介した第１のオペレーター入力に応じて、前記選択されたリストによって定義されるアイテムの集合と同じ複数の当初選択されたアイテムを含む修正リストを生成するステップと、（ｃ）前記複数のアイテム、前記当初選択されたアイテムのうちの１つとそれぞれ関連付けられた複数の第１の表示、および前記当初選択されたアイテムのうちの１つとそれぞれ関連付けられた複数の第２の表示を表示画面上に表示するステップと、（ｄ）前記修正リストへの前記複数のアイテムのうちの選択されたアイテムの追加、または前記修正リストからの前記複数のアイテムのうちの選択されたアイテムの削除、または前記修正リストの確認のいずれかを示す第２のオペレーター入力を受け付けるステップと、（ｅ１）前記第２のオペレーター入力が追加を示す場合、前記第１の表示のいずれも変更することなく、また、表示された前記アイテムのいずれも変更することなく、前記選択されたアイテムに関連付けられた第２の表示を表示し、前記修正リストに前記選択されたアイテムを追加するステップと、（ｅ２）前記第２のオペレーター入力が削除を示す場合、前記第１の表示のいずれも変更することなく、また、表示された前記アイテムのいずれも変更することなく、前記選択されたアイテムに関連付けられた第２の表示を削除し、前記修正リストから前記選択されたアイテムを削除するステップと、（ｅ３）前記第２のオペレーター入力が確認を示す場合、前記選択されたリストを変更することなく前記修正リストを保存するステップと、を含む。
【０００８】
他の態様において、本発明は、情報処理装置を制御するためのコンピュータープログラムおよびコンピュータープログラムが内部に格納されたコンピューター読み取り可能な非一時的媒体（たとえば、メモリまたは記憶装置）を提供し、コンピュータープログラムは、情報処理装置に上記の方法を実行させるように構成される。
【０００９】
前述の概要および以下の詳述は、いずれも典型例および説明を示すものであり、特許請求の範囲に記載された発明の仔細な説明を提供することを目的としている。
【図面の簡単な説明】
【００１０】
【図１】本発明の実施形態に係るスキャナーまたはＭＦＰの概略構成を示す図である。
【図２】文書をスキャンしスキャンされた文書にデジタル権利を設定する際にスキャナーＭＦＰにより実行される方法を説明する概略図である。
【図３Ａ】図２に示す処理ステップにおけるＭＦＰの表示画面を示す概略図である。
【図３Ｂ】図２に示す処理ステップにおけるＭＦＰの表示画面を示す概略図である。
【図３Ｃ】図２に示す処理ステップにおけるＭＦＰの表示画面を示す概略図である。
【図３Ｄ】図２に示す処理ステップにおけるＭＦＰの表示画面を示す概略図である。
【図３Ｅ】図２に示す処理ステップにおけるＭＦＰの表示画面を示す概略図である。
【図４】選択されたアイテムのオリジナルのリストを修正するためにコンピューター制御された装置によって実行されるユーザーインターフェース表示方法を説明する概略図である。
【発明を実施するための形態】
【００１１】
本発明は、ユーザーインターフェース表示方法に関し、特に表示サイズが限られたユーザーインターフェースパネルにおいて特に有用である。本発明の方法は、デジタル権利管理（ＤＲＭ）スキャナー（たとえば、ＭＦＰ）の場合の例を用いて記載される。ＤＲＭの方法の詳細な手順が記載されるが、それは重要ではなく、また発明の一部でもなく、ＤＲＭの方法は、単にユーザーインターフェースの表示に関する本発明を説明する例として用いられているに過ぎない。
【００１２】
ＤＲＭ機能は、オペレーターがスキャンされた文書に対する保護ポリシーを適用することを要求し、そのポリシーは、どのユーザーが何のアクセス権を認められているかを定義し、また、文書に関する新たなユーザーのアクセス権を定義するために、新たなユーザーを追加し、あるいは、既存のユーザーを削除することを要求する。特に、本発明の実施形態は、スキャナーのオペレーターが、既存のポリシーにおいて定義された権利とは異なるユーザーのアクセス権をデジタル文書に関連付けることを可能とする。さらに、本方法は、オペレーターが、ＲＭＳサーバーに格納された既存のポリシーの一つを選択することや、追加のユーザーに権利を認めることおよび／またはそのポリシーによって権利を認められたユーザーの権利を削除することによってユーザーのアクセス権を修正することを可能とし、ポリシー自体は変更することなく特定のデジタル文書のために修正されたユーザーのアクセス権を生成できる。たとえば、オペレーターは、ユーザーＡ、Ｂ、Ｃのみに閲覧の権利を認めるポリシー２を選択でき、そして、追加のユーザーＤに閲覧の権利を設定し、一方、ユーザーＤの閲覧の権利を削除する。その結果、ユーザーＡ、Ｂ、Ｄのみがデジタル文書を閲覧する権利を認められる。本方法は、ＲＭＳサーバーに既に格納されているポリシーを修正することなく、この結果を達成できる。
【００１３】
図１は、本発明の実施形態に係るデジタル権利管理システム（ＤＲＭまたはＲＭＳ）の概略構成を示す図である。システムは、スキャナー装置２と、スキャナー装置に接続されるデジタル権利管理サーバー（ＲＭＳサーバー）３とを含む。スキャナー装置２は、制御部２１、制御プログラム２３を格納するメモリー２２、ユーザーインターフェースパネル２４、およびスキャン機能を実行するハードウェアを含む読取部２５を含む。制御部２１は、制御プログラム２３を実行し、後述するデジタル権利管理方法の手順を含むスキャナー２の様々な機能を制御する。スキャナー２は、ネットワークまたは他の種類の接続を介してＲＭＳサーバー３に接続される。サーバー３は、図示されない適切なハードウェアおよびソフトウェアを含む。
【００１４】
図２は、本発明の実施形態に係るスキャナーにおいて実行されるデジタル権利管理方法を説明する概略図である。本処理において、ユーザーインターフェースパネル２４は、オペレーターに対して様々な情報を表示し、オペレーターの入力を受け付けるために用いられる。ユーザーインターフェースパネル２４は、たとえば、タッチパネルまたは他の種類のインターフェース装置でもよい。
【００１５】
オペレーターがスキャナーを使用してハードコピー文書をスキャンし、スキャンされた文書のための権利保護を要求すると、処理が開始する（ステップＳ２１）。本実施形態において、スキャンされたデジタル文書を生成する読み取り工程は、ステップＳ２１の一部であり、あるいは、実際の読み取りは後で実行されてもよく、たとえば、ステップＳ２９の直前で実行されてもよい。スキャナーは、ＤＲＭポリシーおよびＤＲＭシステムに登録された全てのユーザーのリストをサーバーから取得する。（ステップＳ２２）。図示された実施形態において、ポリシーおよび登録されたユーザーのリストは、サーバー３により保持され、要求に応じてスキャナー２に提供される。他の実施形態では、ポリシーおよび登録されたユーザーのリストは、ローカルにスキャナー上に格納される（したがって、ステップＳ２２は省略される）。
【００１６】
各ＤＲＭポリシーは、ポリシーのＩＤを有し、ユーザーのアクセス権、すなわち、どのユーザーが何の権利（閲覧、編集、印刷、複製、等）を認められているか、および、他の追加的なポリシー項目を含む様々なポリシー項目を特定する。たとえば、大きな組織においては、ポリシーは、ビジネスユニット内のユーザーや特定の職責を有するユーザー等にアクセス権が認められるように設定される。ポリシーは、「プロジェクトＸ」、「チームＹ」、「マネージャー」等のユーザーフレンドリーなＩＤ（名称）を有してもよい。各ポリシーにおけるユーザーのアクセス権は、ユーザーの名称のリストと、各ユーザーに認められた権利を特定する。
【００１７】
ポリシーを取得した後、スキャナー２は、オペレーターに対してポリシーのリスト（ＩＤによる）を表示し、オペレーターは、表示されたポリシーの１つを選択する（ステップＳ２３）。図３Ａは、ステップＳ２３における画面の例を示す概略図であり、オペレーターがラベル付けされたボタンを用いてポリシーを選択可能となっている。スキャナーは、選択されたポリシーにおいて現在アクセス権が認められているユーザーのリストを表示し、オペレーターがユーザーの権利を追加または削除（すなわち修正）を要求可能とするオプションも含む（ステップＳ２４）。図３Ｂは、ステップＳ２４における画面の例を示す概略図であり、選択されたポリシーである「プロジェクトＹ」において閲覧の権利を有するユーザーのリストと、オペレーターが修正を要求できるようにする「追加／削除」ボタンを示している。本例においては閲覧の権利が用いられているが、他の権利も同様に設定される。
【００１８】
オペレーターがユーザーの権利の修正を要求した場合、（ステップＳ２５において「Ｙ」）、スキャナーは、システムに登録された全てのユーザーのリストを表示すると共に、選択されたポリシーにおいてどのユーザーが現在アクセス権を認められているかを表示する（ステップＳ２６）。この画面により、オペレーターはアクセス権を認められる追加のユーザーを選択でき、および／または、現在権利を認められているユーザーの権利を削除できる。図３Ｃは、ステップＳ２６における画面の例を示す概略図である。この画面において、登録された全てのユーザーの名称がリスト化され（ユーザーの数が多いときは、スクロールバーやアルファベット順の索引のようなツールが提供されてもよい）、各ユーザーの近傍に設けられたチェックボックスは、権利（本例においては閲覧の権利）がそのユーザーに認められるかどうかを示す。また、選択されたポリシーにおいて元々権利が認められていたユーザーはハイライト表示される（この図においては、太線で示される）。ハイライト表示は、異なる色や太枠、下線等によって行われてもよい。
【００１９】
ステップＳ２６の画面を用いて、オペレーターは、ユーザーの名称を選択および／または選択解除し（たとえば、ボックスをチェックおよび／またはチェック解除する）、表示パネルは修正された選択の表示をインタラクティブに表示する（ステップＳ２７）。図３Ｄは、オペレーターの選択／選択解除の結果を例示する概略図であり、ユーザーの「Ｃａｒｌ」は現在選択解除され、ユーザーの「Ｅｒｉｎ」は現在選択されている。好ましい実施形態では、オペレーターがユーザーを選択および選択解除するとき、選択されたポリシーにおいて元々アクセス権が認められていたユーザーは、選択／選択解除に関わらずハイライト表示されたままとし、オペレーターは自身の修正されたユーザーリストと選択されたポリシーにおけるオリジナルのユーザーリストとを容易に比較できる。このように、たとえば、図３Ｄにおいて、ユーザー「Ｃａｒｌ」は、選択解除されているがまだハイライト表示されており、ユーザー「Ｅｒｉｎ」は選択されているがハイライト表示されていない。
【００２０】
オペレーターが自身の選択に満足し、図３Ｄに示す画面の「ＯＫ」ボタンを押下した場合、スキャナーは、修正されたユーザーと権利のリストを表示する図３Ｂと同様の確認画面を表示し、オペレーターから確認の指示を受け付ける（ステップＳ２８において「Ｙ」）。スキャナーは、選択されたポリシーのＩＤおよび修正されたユーザーのアクセス権と共に、スキャンされたデジタル文書をＲＭＳサーバー３へ送信する（ステップＳ２９）。
【００２１】
一実施形態では、ステップＳ２５においてオペレーターがユーザーのアクセス権の修正を要求しない場合、（たとえば、図３Ｂの画面において、オペレーターが「ＯＫ」ボタンを押下した場合）（ステップＳ２５において「Ｎ」）、または、ステップＳ２７においてオペレーターがユーザーのアクセス権を変更しない場合、スキャナーは、ユーザーのアクセス権の修正はない旨を表示しつつ、スキャンされたデジタル文書および選択されたポリシーのＩＤをサーバーへ直接送信する（ステップＳ２９）。
【００２２】
ステップＳ２４において、選択されたポリシーにおけるユーザーのリストの表示（図３Ｂ）により、オペレーターが、ユーザーのアクセス権を修正したいか否かを決定しやすくなる、この表示は任意的なものである。他の実施形態において、ステップＳ２４およびＳ２５は省略され、替わりに、ステップＳ２３においてオペレーターがポリシーのＩＤを選択した後（図３Ａに示す画面を使用）、スキャナーは、ステップＳ２６に直接進み、たとえば図３Ｃのようなユーザーの権利の修正画面を表示する。同様に、ステップＳ２８の確認処理も省略されうる。
【００２３】
さらに他の実施形態において、ポリシーのリストおよびユーザーのリストの表示は、同じ表示画面上に統合され、ステップＳ２３、Ｓ２６、Ｓ２７のための表示およびオペレーター入力は、同じ画面を使用して行われうる。この例が、図３Ｅに示される。この実施形態において、ステップＳ２３の初期画面は、ポリシーのリストを有するが、ハイライト表示はされておらず、同じ画面上にユーザーのリストが表示されるが、ユーザーは選択されておらず、ハイライト表示もされていない。ポリシーの数やユーザーの数が多いときは、スクロールバーやアルファベット順の索引のようなツールが提供されてもよい。オペレーターは、たとえば、リスト表示されたポリシーの１つをクリックすることにより、ポリシーを選択する。ステップＳ２４およびＳ２５は省略される。ステップＳ２６は、たとえば、ユーザーの名称の近傍のチェックボックスにチェックしたりユーザーをハイライト表示したりすることにより、選択されたポリシーにおいてどのユーザーが権利を有しているかを表示する。図３Ｅは、ポリシーの「プロジェクトＹ」が選択され（ハイライト表示されている）、ユーザーの「Ａｍｙ」、「Ｃａｒｌ」、「Ｄａｖｉｄ」および「Ｆｒａｎｋ」が、このポリシーにおいて権利を認められているユーザーとして示されている。オペレーターは、たとえば、ユーザーの近傍の対応するチェックボックスにチェック／チェック解除して、表示されたリストからユーザーを選択／選択解除することにより、ユーザーの追加／削除を実行する。選択されたポリシーによって元々アクセス権が認められているユーザーのハイライト表示は、ユーザーの追加および削除に関わらず、変更されずに残る。たとえば、オペレーターが「Ｃａｒｌ」を選択解除し、「ｅｒｉｎ」を選択した場合、図３Ｅの右側のユーザーリストは図３Ｄに示されるものと同様となる。オペレーターがユーザーの選択に満足した後、オペレーターは確認し、「ＯＫ」ボタンをクリックすることによって次のステップへ進むことができる（ステップＳ２８）。
【００２４】
上記では、スキャナーおよびデジタル権利管理の場合において具体的な例が記載されたが、選択されたアイテムのリストを修正する方法は、いかなる場合にも適用されうる。図４を参照して、一般的な場合に適用される、コンピューター管理された装置により実行されるオペレーターが選択されたアイテムのオリジナルのリストを修正できるようにするユーザーインターフェース方法が記載される。この方法において、ユーザーインターフェース装置は、表示画面およびユーザー入力装置を含む。ユーザー入力装置は、タッチスクリーンが使用されるときは表示画面自体であってもよく、表示画面上でカーソルを動作させるポインター装置や、多数のハードウェアボタン等であってもよい。
【００２５】
図４に示されるように、コンピューター制御された装置は、選択可能な複数のアイテムを格納し、それぞれ複数のアイテムの集合を定義する１つ以上のリストを格納する（ステップＳ４１）。アイテムは、一般に何でもよく、たとえば、上述された具体例におけるユーザーの名称でもよい。アイテムの集合を定義するリストの例は、権利管理ポリシーである。装置は、オペレーターに既存のリストのうちの１つを選択するように要求し、それに対応して、リストのうちの１つを選択するオペレーターの入力を受け付ける（ステップＳ４２）。ステップＳ４２における画面の例は、図３Ａに示され、装置がそれぞれリストに対応するボタンを表示し、オペレーターはボタンの１つをクリックまたはタッチすることによりリストを選択できる。
【００２６】
オペレーターによるリストの選択に応じて、装置は、それぞれ選択されたリストのアイテムに関連付けられた複数の第１の表示と、それぞれ選択されたリストのアイテムに関連付けられた複数の第２の表示と共に、複数のアイテムの全てを表示する（ステップＳ４３）。言い換えれば、最初に選択されたアイテムは、関連付けられた第１の表示および第２の表示を有し、最初に選択されてないアイテムは、関連付けられたいずれかの表示を有していない。ステップＳ４３における表示の例は、図３Ｃに示される。この例において、各アイテム（ユーザーの名称）は、ユーザーの名称とボックスとして表示され、第１の表示はいくつかのボックスの太枠であり、第２の表示はいくつかのユーザーの名称の近傍のチェックボックスにおけるチェックマークである。第１および第２の表示として、他の表示効果が用いられてもよく、たとえば、ボックス内の色を異ならせる（ハイライト）、ボックスのラベルのフォントを太字体等に異ならせる（たとえば、ユーザーの名称）、ボックスのラベルに下線を付ける、ボックスのフラッシュ効果等としてもよい。第１および第２の表示が異なっていれば、第１および第２の表示としてどのような表示効果が使用されてもよい。
【００２７】
アイテムが多く１つの画面に収まらない場合、表示の管理のために画面のアイテムをスクロールさせるスクロールツール、次ページ、前ページ、特定のページ数に移動するためのボタンを備えた複数のページ、アルファベット順の索引、または他の索引等の適切なツールが使用されうる。たとえば、アルファベット順の索引が使用される場合、オペレーターがアルファベットをクリックすると、そのアルファベットから始まるアイテム（たとえば、ユーザーの名称）が表示される。全てのアイテムが同じ画面には表示されないとしても、これらの表示方法を使用して、本明細書での意味において、画面は複数のアイテムの全てを表示する画面と考えられる。
【００２８】
装置は、選択されたリストに基づいて修正リストを生成する（ステップＳ４４）。修正リストが最初に生成されたとき、選択されたリストと同一であり、すなわち、修正リストは、選択されたリストと同じアイテムを含んでいる。そして、オペレーターは、修正リストにアイテムを追加するか、または修正リストからアイテムを削除するための指示を入力する（ステップＳ４５）。これは、たとえば、アイテムに関連したラベルが付されたボックスまたはチェックボックスをタッチまたはクリックすることにより行われる。１つの実施態様において、オペレーターが修正リストの現在選択されていないアイテムをタッチした場合、そのタッチは、修正リストにアイテムを追加するための指示として解釈され、また、オペレーターが修正リストの現在選択されているアイテムをタッチした場合、そのタッチは、修正リストからそのアイテムを削除するための指示として解釈される。
【００２９】
「追加」の指示に応じて、装置は、第１の表示を変更することなく、また、表示されたアイテムを変更することなく、追加されるアイテムに関連付けられた第２の表示を表示し、修正リストにアイテムを追加する（ステップＳ４６）。ステップＳ４６における表示の例は、図３Ｄに示され、アイテムの「Ｅｒｉｎ」に関連付けられた第２の表示（チェックボックスにおけるチェックマーク）が表示されている。第１の表示（本例における太枠）は変更されておらず、表示されたアイテムも変更されていない。
【００３０】
「削除」の指示に応じて、装置は、第１の表示を変更することなく、また、表示されたアイテムを変更することなく、削除されるアイテムに関連付けられた第２の表示を削除し、修正リストからアイテムを削除する（ステップＳ４７）。ステップＳ４７における表示の例は、図３Ｄに示され、アイテムの「Ｃａｒｌ」に関連付けられた第２の表示（チェックボックスにおけるチェックマーク）が削除されている。削除されるアイテムの第１の表示も含めて、第１の表示（本例における太枠）は変更されておらず、表示されたアイテムも変更されていない。
【００３１】
追加または削除のステップＳ４５、Ｓ４６およびＳ４７の結果として、オリジナルの選択されたリストに含まれるアイテムは、それらに関連付けられた第１の表示を有し、修正リストに含まれるアイテムは、それらに関連付けられた第２の表示を有する。両方のリストに含まれるアイテムは、それらに関連付けられた第１の表示および第２の表示の両方を有してもよい。
【００３２】
ステップＳ４３における表示は、たとえば「ＯＫ」ボタン等のオペレーターが修正リストを確認するためのツールを含む。オペレーターが、たとえば、「ＯＫ」ボタンをタッチすることにより修正リストを確認すると（ステップＳ４５）、装置は、当初の修正リストにアイテムを追加および／または当初の修正リストからアイテムを削除した後、修正リストを保存する（ステップＳ４８）。ステップＳ４２においてオペレーターが選択したリストは変更されない。
【００３３】
上記の表示方法を使用すると、修正リストにアイテムが追加されたり修正リストからアイテムが削除されたりしても、選択されたリストに含まれるオリジナルのアイテムは、（変更されない第１の表示によって）識別および特定され、同時に、修正リストに含まれるアイテムも、（オペレーターがアイテムを追加または削除した際に変更される第２の表示によって）明確に識別および特定される。これにより、選択されたリストのオリジナルのアイテムを視認できるようにしつつ、修正リストへのアイテムの追加、あるいは修正リストからのアイテムの削除を容易に行うことができる。
【００３４】
本発明の思想または範囲から逸脱することなく、本発明に係るデジタル権利管理システムおよび方法の様々な修正および変更が可能であることは、当業者にとって明らかである。このように、本発明は、添付された特許請求の範囲およびそれらの同等物に記載の範囲で行われる修正および変更も含む。
【図１】
2015165383.tif 000003
【図２】
2015165383.tif 000004
【図３Ａ】
2015165383.tif 000005
【図３Ｂ】
2015165383.tif 000006
【図３Ｃ】
2015165383.tif 000007
【図３Ｄ】
2015165383.tif 000008
【図３Ｅ】
2015165383.tif 000009
【図４】
2015165383.tif 000010
【外国語明細書】
2015165383000001.pdf
2015165383000002.pdf
2015165383000003.pdf
2015165383000004.pdf